(57)【特許請求の範囲】
【請求項１】
表示手段と、
単語と、当該単語を接辞及び語幹に分解して得られる複数の単語構成部分と、これら複数の単語構成部分それぞれの意味を示した語源とを対応付けて複数記憶する単語語源記憶手段に記憶された単語のいずれかをユーザ操作に基づいて指定する単語指定手段と、
前記単語指定手段により指定された指定単語に含まれる各単語構成部分と同じ語源の単語構成部分を含む単語を、前記単語語源記憶手段に記憶された単語の中から同語源単語として抽出する同語源単語抽出手段と、
前記指定単語及び前記同語源単語を前記表示手段に一覧表示させるとともに、当該指定単語と当該同語源単語の双方に共通して含まれる単語構成部分を識別表示させる同語源単語識別表示制御手段と、を備え、
前記同語源単語識別表示制御手段は、
前記指定単語の接辞の接頭辞と同じ接頭辞を含む同語源単語を、前記表示手段の表示領域の第１領域に表示させ、
前記指定単語の接辞の接尾辞と同じ接頭尾を含む同語源単語を、前記表示手段の表示領域のうち前記第１領域より右側に位置する第２領域に表示させることにより、
前記表示手段に当該指定単語及び当該同語源単語を一覧表示させる、
ことを特徴とする情報表示装置。
【請求項２】
請求項１記載の情報表示装置において、さらに、
前記表示手段の表示領域を格子状に縦横に分割することにより、矩形状の分割表示領域を当該表示領域内に複数形成する分割表示制御手段を備え、
前記同語源単語識別表示制御手段は、
前記複数の分割表示領域のうち前記表示領域の中央部に表示された中央分割表示領域に前記指定単語を表示させ、
前記複数の分割表示領域のうち前記表示領域に向かって前記中央分割表示領域よりも左側に位置する各周辺分割表示領域を前記第１領域として、当該第１領域に前記指定単語の接頭辞と同語源の接頭辞を含む同語源単語を表示させ、
前記複数の分割表示領域のうち当該表示領域に向かって前記中央分割表示領域よりも右側に位置する各周辺分割表示領域を前記第２領域として、当該第２領域に前記指定単語の接尾辞と同語源の接尾辞を含む同語源単語を表示させることにより、
前記表示手段に当該指定単語及び当該同語源単語を一覧表示させることを特徴とする情報表示装置。
【請求項３】
請求項２記載の情報表示装置において、さらに、
前記複数の分割表示領域のうち当該表示領域に向かって前記中央分割表示領域よりも上側及び下側に位置する各周辺分割表示領域に、前記指定単語の語幹と同語源の語幹を含む同語源単語を表示させることにより、
前記表示手段に当該指定単語及び当該同語源単語を一覧表示させることを特徴とする情報表示装置。
【請求項４】
請求項１記載の情報表示装置において、
前記単語指定手段により前記指定単語が指定された場合に、前記単語語源記憶手段から前記指定単語の各単語構成部分の語源を読み出して、当該指定単語と当該語源とを対応付けて前記表示手段に表示させる指定単語表示制御手段と、
ユーザ操作に基づいて、前記指定単語表示制御手段により表示制御された語源のいずれかを選択する語源選択手段と、
を備え、
前記同語源単語抽出手段は、
前記語源選択手段により語源が選択された場合に、この選択された語源と同じ語源の単語構成部分を含む単語を前記同語源単語として抽出することを特徴とする情報表示装置。
【請求項５】
請求項１に記載の情報表示装置において、
ユーザ操作により指定される単語を蓄積記憶する単語帳記憶手段と、
ユーザ操作に基づいて、前記単語帳記憶手段により記憶された単語を前記表示手段に一覧表示させる単語帳一覧表示制御手段と、
を備え、
前記単語指定手段は、
ユーザ操作に基づいて、前記単語帳一覧表示制御手段により一覧表示された単語のいずれかを指定し、
前記同語源単語抽出手段は、
前記指定単語の接頭辞と同語源の接頭辞を含む同語源単語を抽出する接頭辞同語源単語抽出手段と、
前記指定単語の接尾辞と同語源の接尾辞を含む同語源単語を抽出する接尾辞同語源単語抽出手段と、
前記指定単語の語幹と同語源の語幹を含む同語源単語を抽出する語幹同語源単語抽出手段と、
を有し、
前記接頭辞同語源単語抽出手段は、
前記単語語源記憶手段により記憶されている単語のうち前記単語帳記憶手段によっても記憶されている単語の中から前記同語源単語を抽出し、抽出された同語源単語の個数を、前記表示領域に向かって前記中央分割表示領域よりも左側に位置する前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出し、
前記接尾辞同語源単語抽出手段は、
前記単語語源記憶手段により記憶されている単語のうち前記単語帳記憶手段によっても記憶されている単語の中から前記同語源単語を抽出し、抽出された同語源単語の個数を、前記表示領域に向かって前記中央分割表示領域よりも右側に位置する前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出し、
前記語幹同語源単語抽出手段は、
前記単語語源記憶手段により記憶されている単語のうち前記単語帳記憶手段によっても記憶されている単語の中から前記同語源単語を抽出し、抽出された同語源単語の個数を、前記表示領域に向かって前記中央分割表示領域よりも上側及び下側に位置する前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出することを特徴とする情報表示装置。
【請求項６】
表示手段と、
単語と当該単語を接辞及び語幹に分解して得られる複数の単語構成部分とこれら複数の単語構成部分それぞれの意味を示した語源とを対応付けて複数記憶する単語語源記憶手段に記憶された単語のいずれかをユーザ操作に基づいて指定する単語指定手段と、
前記単語指定手段により指定された指定単語に含まれる各単語構成部分と同じ語源の単語構成部分を含む単語を、前記単語語源記憶手段に記憶された単語の中から同語源単語として抽出する同語源単語抽出手段と、
前記指定単語及び前記同語源単語を前記表示手段に一覧表示させるとともに、当該指定単語と当該同語源単語の双方に共通して含まれる単語構成部分を識別表示させる同語源単語識別表示制御手段と、
前記表示手段の表示領域を格子状に縦横に分割することにより、矩形状の分割表示領域を当該表示領域内に複数形成する分割表示制御手段を備え、
前記同語源単語識別表示制御手段は、
前記複数の分割表示領域のうち前記表示領域の中央部に表示された中央分割表示領域に前記指定単語を表示させ、前記複数の分割表示領域のうち当該中央分割表示領域とは異なる各周辺分割表示領域に前記同語源単語を一つずつ表示させることにより、前記表示手段に当該指定単語及び当該同語源単語を一覧表示させ、
さらに、
ユーザ操作により指定される単語を蓄積記憶する単語帳記憶手段と、
ユーザ操作に基づいて、前記単語帳記憶手段により記憶された単語を前記表示手段に一覧表示させる単語帳一覧表示制御手段と、
を備え、
前記単語指定手段は、
ユーザ操作に基づいて、前記単語帳一覧表示制御手段により一覧表示された単語のいずれかを指定し、
前記同語源単語抽出手段は、
前記単語語源記憶手段により記憶されている単語のうち前記単語帳記憶手段によっても記憶されている単語の中から前記同語源単語を抽出し、抽出された同語源単語の個数を前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出することを特徴とする情報表示装置。
【請求項７】
表示手段を有するコンピュータに、
単語と、当該単語を接辞及び語幹に分解して得られる複数の単語構成部分と、これら複数の単語構成部分それぞれの意味を示した語源とを対応付けて複数記憶する単語語源記憶手段に記憶された単語のいずれかをユーザ操作に基づいて指定する単語指定機能と、
前記単語指定機能により指定された指定単語に含まれる各単語構成部分と同じ語源の単語構成部分を含む単語を、前記単語語源記憶手段により記憶された単語の中から同語源単語として抽出する同語源単語抽出機能と、
前記指定単語及び前記同語源単語を前記表示手段に一覧表示させるとともに、当該指定単語と当該同語源単語の双方に共通して含まれる単語構成部分を識別表示させる同語源単語識別表示制御機能と、を実現させ
前記同語源単語識別表示制御機能は、
前記指定単語の接辞の接頭辞と同じ接頭辞を含む同語源単語を、前記表示手段の表示領域の第１領域に表示させ、
前記指定単語の接辞の接尾辞と同じ接頭尾を含む同語源単語を、前記表示手段の表示領域のうち前記第１領域より右側に位置する第２領域に表示させることにより、
前記表示手段に当該指定単語及び当該同語源単語を一覧表示させる、
ことを特徴とするプログラム。
【請求項８】
表示手段を有するコンピュータに、
単語と、当該単語を接辞及び語幹に分解して得られる複数の単語構成部分と、これら複数の単語構成部分それぞれの意味を示した語源とを対応付けて複数記憶する単語語源記憶手段に記憶された単語のいずれかをユーザ操作に基づいて指定する単語指定機能と、
前記単語指定機能により指定された指定単語に含まれる各単語構成部分と同じ語源の単語構成部分を含む単語を、前記単語語源記憶手段により記憶された単語の中から同語源単語として抽出する同語源単語抽出機能と、
前記指定単語及び前記同語源単語を前記表示手段に一覧表示させるとともに、当該指定単語と当該同語源単語の双方に共通して含まれる単語構成部分を識別表示させる同語源単語識別表示制御機能と、
前記表示手段の表示領域を格子状に縦横に分割することにより、矩形状の分割表示領域を当該表示領域内に複数形成する分割表示制御機能と、を実現させ
前記同語源単語識別表示制御機能は、
前記複数の分割表示領域のうち前記表示領域の中央部に表示された中央分割表示領域に前記指定単語を表示させ、前記複数の分割表示領域のうち当該中央分割表示領域とは異なる各周辺分割表示領域に前記同語源単語を一つずつ表示させることにより、前記表示手段に当該指定単語及び当該同語源単語を一覧表示させ、
さらに、
ユーザ操作により指定される単語を蓄積記憶する単語帳記憶機能と、
ユーザ操作に基づいて、前記単語帳記憶機能により記憶された単語を前記表示手段に一覧表示させる単語帳一覧表示制御機能と、を実現させ
前記単語指定機能は、
ユーザ操作に基づいて、前記単語帳一覧表示制御機能により一覧表示された単語のいずれかを指定し、
前記同語源単語抽出機能は、
前記単語語源記憶手段に記憶されている単語のうち前記単語帳記憶機能によっても記憶されている単語の中から前記同語源単語を抽出し、抽出された同語源単語の個数を前記周辺分割表示領域の個数から引いた値が１以上である場合には、前記単語語源記憶手段により記憶されている単語のうち前記単語帳記憶機能によっては記憶されていない単語の中から当該値の個数だけ前記同語源単語を更に抽出することを特徴とするプログラム。
【発明の詳細な説明】
【技術分野】
【０００１】
本発明は、情報表示装置及びプログラムに関する。
【背景技術】
【０００２】
従来、単語を学習する方法として、単語を接辞及び語幹の各単語構成部分に分解し、各単語構成部分の語源に基づいて学習する方法がある。この方法により単語を学習する場合には、辞書に掲載された語源（単語の各単語構成部分の意味を示した語源）から効果的に単語を理解して学習することができる。また、近年の情報表示装置では、或る見出し語の説明情報を表示する場合に、当該見出し語と同じ語源の単語構成部分を含む単語（或る見出し語と語源の共通する単語）を、この見出し語に対応付けて表示するようになっている（例えば、特許文献１参照。）。
【０００３】
ところで、単語の学習方法としては、同意語、反意語、派生語などを纏めて学習する方法もある。同意語、反意語、派生語などを纏めて記載した単語帳が市販されており、この単語帳を当該方法による学習のツールとして用いることができる。
【先行技術文献】
【特許文献】
【０００４】
【特許文献１】特開１９９６−０４４２８１号公報
【発明の概要】
【発明が解決しようとする課題】
【０００５】
しかしながら、従来の情報表示装置では、見出し語の単語構成部分それぞれと同じ語源の単語構成部分を含む同語源単語をこの単語構成部分それぞれに対応付けて表示することができない。また、このような同語源単語を複数纏める技術も存在しない。従って、語源の共通する同語源単語を効率良く学習することができない。
【０００６】
本発明の課題は、語源の共通する同語源単語を効率良く学習することができる情報表示装置及びプログラムを提供することである。
【課題を解決するための手段】
【０００７】
請求項１記載の発明は、情報表示装置において、
表示手段と、
単語と、当該単語を接辞及び語幹に分解して得られる複数の単語構成部分と、これら複数の単語構成部分それぞれの意味を示した語源とを対応付けて複数記憶する単語語源記憶手段に記憶された単語のいずれかをユーザ操作に基づいて指定する単語指定手段と、
前記単語指定手段により指定された指定単語に含まれる各単語構成部分と同じ語源の単語構成部分を含む単語を、前記単語語源記憶手段に記憶された単語の中から同語源単語として抽出する同語源単語抽出手段と、
前記指定単語及び前記同語源単語を前記表示手段に一覧表示させるとともに、当該指定単語と当該同語源単語の双方に共通して含まれる単語構成部分を識別表示させる同語源単語識別表示制御手段と、を備え、
前記同語源単語識別表示制御手段は、
前記指定単語の接辞の接頭辞と同じ接頭辞を含む同語源単語を、前記表示手段の表示領域の第１領域に表示させ、
前記指定単語の接辞の接尾辞と同じ接頭尾を含む同語源単語を、前記表示手段の表示領域のうち前記第１領域より右側に位置する第２領域に表示させることにより、
前記表示手段に当該指定単語及び当該同語源単語を一覧表示させる、
ことを特徴とする。
また、請求項６記載の発明は、情報表示装置において、
表示手段と、
単語と当該単語を接辞及び語幹に分解して得られる複数の単語構成部分とこれら複数の単語構成部分それぞれの意味を示した語源とを対応付けて複数記憶する単語語源記憶手段に記憶された単語のいずれかをユーザ操作に基づいて指定する単語指定手段と、
前記単語指定手段により指定された指定単語に含まれる各単語構成部分と同じ語源の単語構成部分を含む単語を、前記単語語源記憶手段に記憶された単語の中から同語源単語として抽出する同語源単語抽出手段と、
前記指定単語及び前記同語源単語を前記表示手段に一覧表示させるとともに、当該指定単語と当該同語源単語の双方に共通して含まれる単語構成部分を識別表示させる同語源単語識別表示制御手段と、
前記表示手段の表示領域を格子状に縦横に分割することにより、矩形状の分割表示領域を当該表示領域内に複数形成する分割表示制御手段を備え、
前記同語源単語識別表示制御手段は、
前記複数の分割表示領域のうち前記表示領域の中央部に表示された中央分割表示領域に前記指定単語を表示させ、前記複数の分割表示領域のうち当該中央分割表示領域とは異なる各周辺分割表示領域に前記同語源単語を一つずつ表示させることにより、前記表示手段に当該指定単語及び当該同語源単語を一覧表示させ、
さらに、
ユーザ操作により指定される単語を蓄積記憶する単語帳記憶手段と、
ユーザ操作に基づいて、前記単語帳記憶手段により記憶された単語を前記表示手段に一覧表示させる単語帳一覧表示制御手段と、
を備え、
前記単語指定手段は、
ユーザ操作に基づいて、前記単語帳一覧表示制御手段により一覧表示された単語のいずれかを指定し、
前記同語源単語抽出手段は、
前記単語語源記憶手段により記憶されている単語のうち前記単語帳記憶手段によっても記憶されている単語の中から前記同語源単語を抽出し、抽出された同語源単語の個数を前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出する、
ことを特徴とする。
【発明の効果】
【０００８】
本発明によれば、語源の共通する同語源単語を効率良く学習することが可能となる。
【図面の簡単な説明】
【０００９】
【図１】関数電卓の概略構成を示す平面図である。
【図２】関数電卓の機能構成を示すブロック図である。
【図３】単語表示処理の流れを示すフローチャートである。
【図４】同語源単語抽出処理の流れを示すフローチャートである。
【図５】ディスプレイの表示内容を示す図である。
【図６】ディスプレイの表示内容を示す図である。
【図７】タブレットパソコンの概略構成を示す平面図である。
【発明を実施するための形態】
【００１０】
以下、添付図面を参照して、本発明に係る情報表示装置を電子辞書に適用した場合の実施形態の一例を詳細に説明する。ただし、発明の範囲は、図示例に限定されない。
【００１１】
［１．１  外観構成］
図１は、電子辞書１の平面図である。
この図に示すように、電子辞書１は、メインディスプレイ１０、サブディスプレイ１１、カードスロット１２、及びキー群２を備えている。
【００１２】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）を自身の内側に着脱可能に設けられるようになっている。
【００１４】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇ等とを有している。
【００１５】
訳／決定キー２ｂは、各種処理の実行、見出し語の決定等に使用されるキーである。文字キー２ｃは、ユーザによる文字の入力等に使用されるキーであり、本実施の形態においては、“Ａ”〜“Ｚ”キーを備えている。辞書選択キー２ｄは、後述の辞書データベース８２０，…（図２参照）の選択に使用されるキーである。
【００１６】
カーソルキー２ｅは、画面内の反転表示位置、つまりカーソル位置の移動等に使用されるキーであり、本実施の形態においては上下左右の方向を指定可能となっている。戻るキー２ｇは、前回表示した画面に戻るとき等に使用されるキーである。
【００１７】
［１．２  内部構成］
続いて、電子辞書１の内部構成について説明する。図２は、電子辞書１の内部構成を示すブロック図である。
【００１８】
この図に示すように、電子辞書１は、表示部４０、入力部３０、記録媒体読取部６０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００１９】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース８２０等が格納されるようになっている。なお、この辞書データベース８２０は後述のフラッシュＲＯＭ８０における辞書データベース８２０と同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２４】
フラッシュＲＯＭ８０は、電子辞書１の各種機能を実現するためのプログラムやデータを記憶するメモリである。本実施の形態においては、フラッシュＲＯＭ８０は、本発明に係る単語表示処理プログラム８１と、辞書データベース群８２と、マーカ単語帳テーブル８４等とを記憶している。
【００２５】
単語表示処理プログラム８１は、後述の単語表示処理（図３参照）をＣＰＵ２０に実行させるためのプログラムである。
【００２６】
辞書データベース群８２は、複数の辞書データベース８２０を有している。これら複数の辞書データベース８２０，…は、見出し語と、この見出し語の説明情報とを対応付けて複数記憶している。なお、本実施の形態においては、このような辞書データベース８２０として、語源付き辞書データベース８２１や英和辞書データベース８２２が辞書データベース群８２に含まれている。
【００２７】
このうち、特に語源付き辞書データベース８２１は、見出し語としての単語と、当該単語の説明情報としての訳と、当該単語の重要度と、当該単語を接辞及び語幹に分解して得られる複数の単語構成部分と、これら複数の単語構成部分それぞれの意味を示した語源とを対応付けて複数記憶している。なお、本実施の形態における語源付き辞書データベース８２１には、英和辞書データベース８２２に記憶されている全ての単語が記憶されている。
【００２８】
マーカ単語帳テーブル８４は、ユーザにより指定される単語を蓄積記憶するとともに、この単語の説明情報中、ユーザ操作に基づきマーカ表示文字列として指定された文字列の位置情報を記憶するようになっている。なお、本実施の形態においては、英和辞書データベース８２２及び語源付き辞書データベース８２１に記憶された単語がマーカ単語帳テーブル８４に記憶されることとして説明する。
【００２９】
ＲＡＭ９０は、ＣＰＵ２０が実行する各種プログラムや、これらプログラムの実行に係
るデータ等を一時的に保持するメモリ領域を備えている。本実施の形態においては、同語源単語記憶テーブル９０１と、語源表示モード記憶エリア９０２とを有している。
【００３０】
同語源単語記憶テーブル９０１には、後述の同語源単語抽出処理（図４参照）において抽出される単語が記憶されるようになっており、より具体的には、所定の単語の単語構成部分と同じ語源の単語構成部分を含む単語（以下、同語源単語とする）が記憶されるようになっている。
【００３１】
語源表示モード記憶エリア９０２には、後述の単語表示処理（図３参照）における２種類の語源表示のモード、具体的には「選択語源表示モード」及び「一括語源表示モード」のうち、何れが設定されているかが記憶されるようになっている。
【００３２】
ここで、これらの「選択語源表示モード」及び「一括語源表示モード」においては、メインディスプレイ１０の表示領域が縦横に格子状に９つに分割されて矩形状の分割表示領域Ａ（図５（ｂ）等参照）が形成され、これらの分割表示領域Ａのうち、中央部に表示される中央分割表示領域Ａ１には、ユーザによる指定単語と、当該指定単語における各単語構成部分の語源等とが表示されるようになっている。
【００３３】
そして、選択語源表示モードにおいては、９つの分割表示領域Ａのうち、中央分割表示領域Ａ１とは異なる各周辺分割表示領域Ａ２に、指定単語の各単語構成部分の語源のうち、ユーザにより選択された語源と同じ語源の単語構成部分を含む同語源単語が一つずつ表示されるようになっている。
【００３４】
一方、一括語源表示モードにおいては、中央分割表示領域Ａ１よりも左側に位置する３つの各周辺分割表示領域Ａ２に、指定単語の接頭辞と同語源の接頭辞を含む同語源単語が表示され、中央分割表示領域Ａ１よりも右側に位置する３つの各周辺分割表示領域Ａ２に、指定単語の接尾辞と同語源の接尾辞を含む同語源単語が表示され、中央分割表示領域Ａ１よりも上側及び下側に位置する２つの各周辺分割表示領域Ａ２に、指定単語の語幹と同語源の語幹を含む同語源単語が表示されるようになっている。
【００３５】
［１．３  動作］
続いて、電子辞書１の動作について、図面を参照しつつ説明する。
【００３６】
図３は、ＣＰＵ２０が単語表示処理プログラム８１を読み出して実行する単語表示処理の流れを示すフローチャートである。
【００３７】
この図に示すように、単語表示処理においてまずＣＰＵ２０は、ユーザ操作により英和辞書データベース８２２が選択されたか否かを判定し（ステップＳ１）、英和辞書データベース８２２が選択されたと判定した場合（ステップＳ１；Ｙｅｓ）には、ユーザ操作に応じて英和辞書データベース８２２における何れかの見出し語を指定見出し語として指定する（ステップＳ２）。なお、このステップＳ２においてユーザは所望の見出し語の文字列を末尾まで入力することで指定見出し語を指定することとしても良いし、見出し語の文字列を先頭から１文字ずつ入力しつつ、入力済みの文字列に前方一致する見出し語を一覧表示させ、この見出し語の一覧から所望の見出し語を指定することとしても良いし、英和辞書データベース８２２における見出し語の検索履歴を表示させて、この履歴内から見出し語を指定することとしても良い。これらのような見出し語の指定方法としては、従来より公知の技術を用いることができる。
【００３８】
次に、ＣＰＵ２０は、指定見出し語の説明情報を英和辞書データベース８２２から読み出してメインディスプレイ１０に表示させる（ステップＳ３）。
【００３９】
次に、ＣＰＵ２０は、マーカ単語帳テーブル８４に指定見出し語を記憶させる旨のユーザ操作が行われるか否かを判定し（ステップＳ４）、行われないと判定した場合（ステップＳ４；Ｎｏ）には、他の処理に移行する。
【００４０】
また、ステップＳ４においてマーカ単語帳テーブル８４に指定見出し語を記憶させる旨のユーザ操作が行われたと判定した場合（ステップＳ４；Ｙｅｓ）には、ＣＰＵ２０は、マーカ単語帳テーブル８４に指定見出し語を蓄積記憶させるとともに、この見出し語の説明情報中、ユーザ操作に基づきマーカ表示文字列として指定された文字列の位置情報を記憶させ（ステップＳ５）、上述のステップＳ２に移行する。
【００４１】
また、上述のステップＳ１においてユーザ操作により英和辞書データベース８２２が選択されていないと判定した場合（ステップＳ１；Ｎｏ）には、ＣＰＵ２０は、ユーザ操作によりマーカ単語帳テーブル８４が選択されたか否かを判定し（ステップＳ６）、選択されていないと判定した場合（ステップＳ６；Ｎｏ）には、他の処理に移行する。
【００４２】
また、ステップＳ６においてユーザ操作によりマーカ単語帳テーブル８４が選択されたと判定した場合（ステップＳ６；Ｙｅｓ）には、ＣＰＵ２０は、メインディスプレイ１０に一覧表示枠Ｗ１とプレビュー表示枠Ｗ２とを形成し（図５（ａ）参照）、マーカ単語帳テーブル８４に記憶されている単語を一覧表示枠Ｗ１に一覧表示させるとともに、ユーザ操作により指定された何れか一つの単語を指定単語として反転表示させ、当該指定単語の説明情報を英和辞書データベース８２２から読み出してプレビュー表示枠Ｗ２にプレビュー表示させる（ステップＳ７）。
【００４３】
次に、ＣＰＵ２０は、同語源一覧表示機能（マンダラ機能）を選択する旨のユーザ操作が行われるか否かを判定し（ステップＳ８）、行われないと判定した場合（ステップＳ８；Ｎｏ）には、他の処理に移行する。
【００４４】
また、ステップＳ８において同語源一覧表示機能を選択する旨のユーザ操作が行われたと判断した場合（ステップＳ８；Ｙｅｓ）には、ＣＰＵ２０は、ユーザ操作により選択語源表示モードが選択されているか否かを判定する（ステップＳ９）。
【００４５】
このステップＳ９において選択語源表示モードが選択されていると判定した場合（ステップＳ９；Ｙｅｓ）には、ＣＰＵ２０は、語源付き辞書データベース８２１から指定単語における各単語構成部分の語源等を読み出すとともに、メインディスプレイ１０の表示領域を縦横に格子状に分割することにより合計９個の分割表示領域Ａを形成し（図５（ｂ）参照）、これらの分割表示領域Ａのうちメインディスプレイ１０の中央に表示された中央分割表示領域Ａ１に、指定単語と、指定単語の訳と、指定単語の単語構成部分と、これら複数の単語構成部分それぞれの語源とを一覧表示させる。（ステップＳ１０）。
【００４６】
次に、ＣＰＵ２０は、中央分割表示領域Ａ１に一覧表示された語源のうち、ユーザ操作により選択された何れか一つの語源を選択語源として選択する（ステップＳ１１）。また、このステップＳ１１においてＣＰＵ２０は、中央分割表示領域Ａ１における指定単語のうち、選択語源に対応する単語構成部分を、所定の色で識別表示させる。
【００４７】
次に、ＣＰＵ２０は、同語源単語抽出処理を行う（ステップＳ１２）。
具体的には、図４に示すように、この同語源単語抽出処理において、まずＣＰＵ２０は、マーカ単語帳テーブル８４により記憶された単語（以下、登録単語とする）のうち、先頭の位置（最も古い位置）に記憶された登録単語を抽出候補の単語（以下、抽出候補単語とする）として設定する（ステップＴ１）。
【００４８】
次に、ＣＰＵ２０は、語源付き辞書データベース８２１において抽出候補単語を検索する（ステップＴ２）。
【００４９】
次に、ＣＰＵ２０は、抽出候補単語について検索された語源に基づいて、この抽出候補単語が選択語源と同じ語源の単語構成部分を含む同語源単語であるか否かを判定し（ステップＴ３）、同語源単語でないと判定した場合（ステップＴ３；Ｎｏ）には、後述のステップＴ５に移行する。
【００５０】
また、ステップＴ３において抽出候補単語が選択語源と同じ語源の単語構成部分を含む同語源単語であると判定した場合（ステップＴ３；Ｙｅｓ）には、ＣＰＵ２０は、同語源単語記憶テーブル９０１に当該抽出候補単語を同語源単語として記憶させる（ステップＴ４）。
【００５１】
次に、ＣＰＵ２０は、マーカ単語帳テーブル８４において抽出候補単語よりも後方に他の登録単語が記憶されているか否か、つまり全ての登録単語を抽出候補単語として設定したか否かを判定し（ステップＴ５）、マーカ単語帳テーブル８４に他の登録単語が記憶されていると判定した場合（ステップＴ５；Ｙｅｓ）には、マーカ単語帳テーブル８４において現時点での抽出候補単語の次の位置に記憶されている登録単語を新たな抽出候補単語として設定し（ステップＴ６）、上述のステップＴ２に移行する。
【００５２】
また、ステップＴ５においてマーカ単語帳テーブル８４において抽出候補単語よりも後方に他の登録単語が記憶されていない場合と判定した場合（ステップＴ５；Ｎｏ）には、ＣＰＵ２０は、所定数の登録単語が同語源単語記憶テーブル９０１に抽出されたか否か、つまり同語源単語記憶テーブル９０１に抽出された同語源単語の個数を「所定数」から引いた値（以下、「不足数」とする）が１以上であるか否かを判定する（ステップＴ７）。ここで、このステップＴ７において「所定数」とは、所定の周辺分割表示領域Ａ２の個数であり、具体的には、指定単語における各単語構成部分の語源のうち、所定の語源と同語源の単語構成部分を含む同語源単語を表示するために用いられる周辺分割表示領域Ａ２の個数である。
【００５３】
即ち、選択語源表示モードでは、ユーザにより選択される選択語源と同じ語源の単語構成部分を含む同語源単語が計８つの周辺分割表示領域Ａ２に表示されるため、「所定数」は「８」である。
【００５４】
一方、一括語源表示モードでは、接頭辞の語源と同じ語源の接頭辞を含む同語源単語が計３つの周辺分割表示領域Ａ２（中央分割表示領域Ａ１よりも左側の周辺分割表示領域Ａ２）に表示され、接尾辞の語源と同じ語源の接尾辞を含む同語源単語が計３つの周辺分割表示領域Ａ２（中央分割表示領域Ａ１よりも右側の周辺分割表示領域Ａ２）に表示され、語幹の語源と同じ語源の語幹を含む同語源単語が計２つの周辺分割表示領域Ａ２（中央分割表示領域Ａ１よりも上側及び下側の周辺分割表示領域Ａ２）に表示される。そのため、指定単語の接頭辞と同語源の接頭辞を含む同語源単語を表示するための同語源単語抽出処理（後述のステップＳ１８）においては「所定数」は「３」であり、指定単語の接尾辞と同語源の接尾辞を含む同語源単語を表示するための同語源単語抽出処理（後述のステップＳ２４）においては「所定数」は「３」であり、指定単語の語幹と同語源の語幹を含む同語源単語を表示するための同語源単語抽出処理（後述のステップＳ２１）においては「所定数」は「２」である。
【００５５】
そして、このステップＴ７において所定数の登録単語が同語源単語記憶テーブル９０１に抽出されたと判定した場合（ステップＴ７；Ｙｅｓ）には、ＣＰＵ２０は、同語源単語抽出処理を終了する。
【００５６】
また、ステップＴ７において所定数の登録単語が同語源単語記憶テーブル９０１に抽出されていないと判定した場合（ステップＴ７；Ｎｏ）には、ＣＰＵ２０は、語源付き辞書データベース８２１に記憶されており、かつ、マーカ単語帳テーブル８４によっては記憶されていない単語を、重要度の高い順に抽出候補単語として設定しつつ上述のステップＴ２〜ステップＴ４の処理を行って、同語源単語記憶テーブル９０１に所定数の単語を記憶させて（ステップＴ８）、同語源単語抽出処理を終了する。より具体的には、このステップＴ８においてＣＰＵ２０は、上述の「不足数」の個数だけ同語源単語を更に抽出して同語源単語記憶テーブル９０１に記憶させることにより、当該同語源単語記憶テーブル９０１に所定数の単語を記憶させる。
【００５７】
以上の同語源単語抽出処理が終了したら、次にＣＰＵ２０は、図３に示すように、同語源単語記憶テーブル９０１に記憶された同語源単語を、メインディスプレイ１０に形成された９つの分割表示領域Ａのうち中央分割表示領域Ａ１とは異なる８つの周辺分割表示領域Ａ２に一つずつ表示させて一覧表示させる（ステップＳ１３）。また、このときＣＰＵ２０は、各周辺分割表示領域Ａ２内の同語源単語についての訳と、当該同語源単語における各単語構成部分の語源とを語源付き辞書データベース８２１から読み出して、該当の周辺分割表示領域Ａ２内に表示させる。更に、このときＣＰＵ２０は、周辺分割表示領域Ａ２における同語源単語の各単語構成部分のうち、選択語源に対応する単語構成部分を所定の色で識別表示させる。
【００５８】
次に、ＣＰＵ２０は、ユーザ操作によりメインディスプレイ１０に一覧表示された同語源単語のいずれかが指定単語として指定されるか否かを判定し（ステップＳ１４）、指定されないと判定した場合（ステップＳ１４；Ｎｏ）には、他の処理に移行する。
【００５９】
また、ステップＳ１４において、同語源単語のいずれかが指定単語として指定されたと判定した場合（ステップＳ１４；Ｙｅｓ）には、ＣＰＵ２０は、９個の分割表示領域Ａ内の全ての表示を消去するとともに、語源付き辞書データベース８２１から新たな指定単語の語源を読み出して、中央分割表示領域Ａ１に指定単語と、指定単語の訳と、指定単語の単語構成部分と、これら複数の単語構成部分それぞれの語源とを一覧表示させる（ステップＳ１５）。
【００６０】
次に、ＣＰＵ２０は、中央分割表示領域Ａ１に一覧表示された語源のうち、ユーザ操作により選択された何れか一つの語源を選択語源として選択する（ステップＳ３０）。また、このステップＳ３０においてＣＰＵ２０は、中央分割表示領域Ａ１における指定単語のうち、選択語源に対応する単語構成部分を、所定の色で識別表示させる。
【００６１】
次に、ＣＰＵ２０は、中央分割表示領域Ａ１に表示されている指定単語のうち識別表示された単語構成部分、つまり選択語源に対応する単語構成部分をマーカ表示文字列として指定して、指定単語と、マーカ表示文字列の位置情報とをマーカ単語帳テーブル８４に記憶させ（ステップＳ３１）、上述のステップＳ１２に移行する。
【００６２】
また、上述のステップＳ９においてユーザ操作により選択語源表示モードが選択されていないと判定した場合、つまり一括語源表示モードが選択されていると判定した場合（ステップＳ９；Ｎｏ）には、ＣＰＵ２０は、語源付き辞書データベース８２１から指定単語の語源等を読み出すとともに、メインディスプレイ１０の表示領域を縦横に格子状に分割することにより合計９個の分割表示領域Ａを形成し、これらの分割表示領域Ａのうち中央分割表示領域Ａ１に、指定単語と、指定単語の訳と、指定単語の単語構成部分と、これら複数の単語構成部分それぞれの語源とを一覧表示させる。（ステップＳ１６）。
【００６３】
次に、ＣＰＵ２０は、指定単語の接頭辞の語源を選択語源として選択し、中央分割表示領域Ａ１において選択語源を赤色で識別表示させるとともに、選択語源に対応する単語構成部分（接頭辞）を赤色で識別表示させる（ステップＳ１７）。
【００６４】
次に、ＣＰＵ２０は、上述のステップＳ１２と同様に、同語源単語抽出処理を行う（ステップＳ１８）。なお、このステップＳ１８の同語源単語処理では、ステップＴ７での「所定数」（指定単語における接頭辞と同語源の接頭辞を含む同語源単語を表示するために用いられる周辺分割表示領域Ａ２の個数）として「３」が用いられる。
【００６５】
次に、ＣＰＵ２０は、同語源単語抽出処理によって同語源単語記憶テーブル９０１に記憶された同語源単語を、メインディスプレイ１０に形成された９つの分割表示領域Ａのうち中央分割表示領域Ａ１よりも左側に位置する３つの周辺分割表示領域Ａ２に一つずつ表示させて一覧表示させる（ステップＳ１９）。また、このときＣＰＵ２０は、これら３つの周辺分割表示領域Ａ２において選択語源（指定単語の接頭辞の語源）と、この選択語源に対応する単語構成部分（接頭辞）とを赤色で識別表示させる。
【００６６】
次に、ＣＰＵ２０は、指定単語の語幹の語源を選択語源として選択し、中央分割表示領域Ａ１において選択語源を緑色で識別表示させるとともに、選択語源に対応する単語構成部分（語幹）を緑色で識別表示させる（ステップＳ２０）。
【００６７】
次に、ＣＰＵ２０は、上述のステップＳ１２と同様に、同語源単語抽出処理を行う（ステップＳ２１）。なお、このステップＳ２１の同語源単語処理では、ステップＴ７での「所定数」（指定単語における語幹と同語源の語幹を含む同語源単語を表示するために用いられる周辺分割表示領域Ａ２の個数）として「２」が用いられる。
【００６８】
次に、ＣＰＵ２０は、同語源単語抽出処理によって同語源単語記憶テーブル９０１に記憶された同語源単語を、メインディスプレイ１０に形成された９つの分割表示領域Ａのうち中央分割表示領域Ａ１よりも上側及び下側に位置する２つの周辺分割表示領域Ａ２に一つずつ表示させて一覧表示させる（ステップＳ２２）。また、このときＣＰＵ２０は、これら２つの周辺分割表示領域Ａ２において選択語源（指定単語の語幹の語源）と、この選択語源に対応する単語構成部分（語幹）とを緑色で識別表示させる。
【００６９】
次に、ＣＰＵ２０は、指定単語の接尾辞の語源を選択語源として選択し、中央分割表示領域Ａ１において選択語源を青色で識別表示させるとともに、選択語源に対応する単語構成部分（接尾辞）を青色で識別表示させる（ステップＳ２３）。
【００７０】
次に、ＣＰＵ２０は、上述のステップＳ１２と同様に、同語源単語抽出処理を行う（ステップＳ２４）。なお、このステップＳ２４の同語源単語処理では、ステップＴ７での「所定数」（指定単語における接尾辞と同語源の接尾辞を含む同語源単語を表示するために用いられる周辺分割表示領域Ａ２の個数）として「３」が用いられる。
【００７１】
次に、ＣＰＵ２０は、同語源単語抽出処理によって同語源単語記憶テーブル９０１に記憶された同語源単語を、メインディスプレイ１０に形成された９つの分割表示領域Ａのうち中央分割表示領域Ａ１よりも右側に位置する３つの周辺分割表示領域Ａ２に一つずつ表示させて一覧表示させ（ステップＳ２５）、上述のステップＳ１４に移行する。また、このステップＳ２５においてＣＰＵ２０は、これら３つの周辺分割表示領域Ａ２において選択語源（指定単語の接尾辞の語源）と、この選択語源に対応する単語構成部分（接尾辞）とを青色で識別表示させる。
【００７２】
［１．４  動作例］
続いて、図面を参照しつつ、上述した電子辞書１の動作を具体的に説明する。なお、以下の動作例で参照する図中、破線で囲まれている領域は、この領域に対する符号の対応色（「Ｒ」：赤色（Red）、「Ｇ」：緑色（Green）、「Ｂ」：青色（Blue））によって当該領域内の文字が表示されていることを示している。
【００７３】
まず、図５（ａ）に示すように、マーカ単語帳テーブル８４をユーザが選択すると（ステップＳ６；Ｙｅｓ）、メインディスプレイ１０に一覧表示枠Ｗ１とプレビュー表示枠Ｗ２とが形成され、マーカ単語帳テーブル８４に記憶されている単語（ここでは英単語「incredible」のみとする）が一覧表示枠Ｗ１に一覧表示されるとともに、ユーザ操作により指定された単語「incredible」が指定単語として反転表示され、当該指定単語の説明情報が英和辞書データベース８２２から読み出されてプレビュー表示枠Ｗ２にプレビュー表示される（ステップＳ７）。
【００７４】
次に、ユーザが同語源一覧表示機能を選択し（ステップＳ８；Ｙｅｓ）、選択語源表示モードを選択すると（ステップＳ９；Ｙｅｓ）、語源付き辞書データベース８２１から指定単語「incredible」における各単語構成部分「in-」，「cred-」，「-ble」の語源が読み出される。また、図５（ｂ）に示すように、メインディスプレイ１０の表示領域に合計９個の分割表示領域Ａが形成され、中央分割表示領域Ａ１に、指定単語「incredible」と、指定単語の訳「信じられない」と、指定単語の単語構成部分「in-」，「cred-」，「-ble」と、これら複数の単語構成部分それぞれの語源「in-（否定、反対、中へ）」，「cred-（信じる）」，…とが一覧表示される。（ステップＳ１０）。なお、本動作例においては、メインディスプレイ１０の端部に「マンダラ」アイコンＩが表示されるようになっており、この「マンダラ」アイコンＩに対するタッチ操作によって、同語源一覧表示機能の選択が行われる。また、図５（ｂ）では、単語構成部分「-ble」と、その語源との図示を省略している。
【００７５】
次に、中央分割表示領域Ａ１に表示された語源「in-（否定，反対，中へ）」を選択語源としてユーザが選択すると（ステップＳ１１）、中央分割表示領域Ａ１における選択語源「in-（否定，反対，中へ）」と、指定単語「incredible」のうち選択語源「in-（否定，反対，中へ）」に対応する単語構成部分「in」が、所定の色（本動作例では赤色）で識別表示される。また、本動作例においては、このとき選択語源「in-（否定，反対，中へ）」が反転表示される。
【００７６】
次に、選択語源「in-（否定，反対，中へ）」と同じ語源の単語構成部分を含む同語源単語「inability」，「inaccurate」，…が同語源単語記憶テーブル９０１に記憶された後（ステップＳ１２）、図５（ｃ）に示すように、８つの各周辺分割表示領域Ａ２に一つずつ表示されて一覧表示される（ステップＳ１３）。また、このとき各周辺分割表示領域Ａ２内の同語源単語「inability」，「inaccurate」，…についての訳「無力、無能」，「不正確な、ずさんな」，…と、当該同語源単語における各単語構成部分の語源とが語源付き辞書データベース８２１から読み出されて、該当の周辺分割表示領域Ａ２内に表示される。更に、このとき周辺分割表示領域Ａ２における同語源単語「inability」，「inaccurate」，…の各単語構成部分のうち、選択語源「in-（否定，反対，中へ）」に対応する単語構成部分が所定の色（本動作例では赤色）で識別表示される。
【００７７】
次に、選択語源「in-（否定，反対，中へ）」に対応する単語構成部分を含んで各周辺分割表示領域Ａ２に表示された同語源単語のうち、右下の周辺分割表示領域Ａ２に表示された単語「inspect」をユーザが指定単語として指定すると（ステップＳ１４；Ｙｅｓ）、図６（ａ）に示すように、メインディスプレイ１０内に形成された９個の分割表示領域Ａ内の全ての表示が消去された後、中央分割表示領域Ａ１に、指定単語「inspect」と、この指定単語「inspect」の訳「詳しく調べる」と、この指定単語「inspect」に含まれる各単語構成部分の意味を示した語源「in-（否定，反対，中へ）」，「spec（見る）」とが対応付けて表示される（ステップＳ１５）。
【００７８】
そして、中央分割表示領域Ａ１に表示された語源「spec（見る）」をユーザが選択語源として選択すると（ステップＳ３０）、中央分割表示領域Ａ１における指定単語「inspect」のうち、選択語源「spec（見る）」に対応する単語構成部分「spec」が所定の色（本動作例では赤色）で識別表示される。また、本動作例においては、このとき選択語源「spec（見る）」が反転表示される。
【００７９】
次に、中央分割表示領域Ａ１に表示されている指定単語「inspect」のうち識別表示された単語構成部分「spec」がマーカ表示文字列として指定されて、指定単語「inspect」と、マーカ表示文字列「spec」の位置情報とがマーカ単語帳テーブル８４に記憶される（ステップＳ３１）。
【００８０】
次に、選択語源「spec（見る）」と同じ語源の単語構成部分を含む同語源単語「espy」，「spectator」，…が同語源単語記憶テーブル９０１に記憶された後（ステップＳ１２）、図６（ｂ）に示すように、８つの各周辺分割表示領域Ａ２に一つずつ表示されて一覧表示される（ステップＳ１３）。また、このとき各周辺分割表示領域Ａ２内の同語源単語「espy」，「spectator」，…についての訳「見つける、探し出す」，「見物人、見る人、傍観者」，…と、当該同語源単語における各単語構成部分の語源とが語源付き辞書データベース８２１から読み出されて、該当の周辺分割表示領域Ａ２内に表示される。更に、このとき周辺分割表示領域Ａ２における同語源単語「espy」，「spectator」，…の各単語構成部分のうち、選択語源「spec（見る）」に対応する単語構成部分が所定の色（本動作例では赤色）で識別表示される。
【００８１】
また、上述の図５（ａ）に示した状態から、ユーザが同語源一覧表示機能を選択し（ステップＳ８；Ｙｅｓ）、一括語源表示モードを選択すると（ステップＳ９；Ｎｏ）、語源付き辞書データベース８２１から指定単語「incredible」における各単語構成部分「in-」，「cred-」，「-ble」の語源が読み出される。また、図６（ｃ）に示すように、メインディスプレイ１０の表示領域に合計９個の分割表示領域Ａが形成され、中央分割表示領域Ａ１に、指定単語「incredible」と、指定単語の訳「信じられない」と、指定単語の単語構成部分「in-」，「cred-」，「-ble」と、これら複数の単語構成部分それぞれの語源「in-（否定、反対、中へ）」，「cred-（信じる）」，…とが一覧表示される。（ステップＳ１６）。
【００８２】
次に、指定単語「incredible」の接頭辞「in-」の語源「in-（否定，反対，中へ）」が選択語源として選択され、中央分割表示領域Ａ１において選択語源「in-（否定，反対，中へ）」が赤色で識別表示されるとともに、選択語源に対応する単語構成部分（接頭辞）「in-」が赤色で識別表示される（ステップＳ１７）。
【００８３】
次に、選択語源「in-（否定，反対，中へ）」と同じ語源の単語構成部分を含む同語源単語「inability」，「indebted」，…が同語源単語記憶テーブル９０１に記憶された後（ステップＳ１８）、同語源単語記憶テーブル９０１に記憶された同語源単語「inability」，「indebted」，…が左側の３つの周辺分割表示領域Ａ２に一つずつ表示されて一覧表示される（ステップＳ１９）。また、このとき、これら３つの周辺分割表示領域Ａ２において選択語源「in-（否定，反対，中へ）」と、この選択語源に対応する単語構成部分（接頭辞）とが赤色で識別表示される。
【００８４】
次に、指定単語の語幹「cred-」の語源「cred-(信じる)」が選択語源として選択され、中央分割表示領域Ａ１において選択語源「cred-(信じる)」が緑色で識別表示されるとともに、選択語源に対応する単語構成部分（語幹）「cred-」が緑色で識別表示される（ステップＳ２０）。
【００８５】
次に、選択語源「cred-(信じる)」と同じ語源の単語構成部分を含む同語源単語「credible」，「accredit」が同語源単語記憶テーブル９０１に記憶された後（ステップＳ２１）、同語源単語記憶テーブル９０１に記憶された同語源単語「credible」，「accredit」が中央上側及び下側の２つの周辺分割表示領域Ａ２に一つずつ表示されて一覧表示される（ステップＳ２２）。また、このとき、これら２つの周辺分割表示領域Ａ２において選択語源「cred-(信じる)」と、この選択語源に対応する単語構成部分（語幹）とが緑色で識別表示される。
【００８６】
次に、指定単語「incredible」の接尾辞「-able」の語源「-able（能力がある）」が選択語源として選択され、中央分割表示領域Ａ１において選択語源「-able（能力がある）」が青色で識別表示されるとともに、選択語源に対応する単語構成部分（接尾辞）「-able（能力がある）」が青色で識別表示される（ステップＳ１７）。
【００８７】
次に、選択語源「-able（能力がある）」と同じ語源の単語構成部分を含む同語源単語「capable」，「edible」，…が同語源単語記憶テーブル９０１に記憶された後（ステップＳ１８）、同語源単語記憶テーブル９０１に記憶された同語源単語「capable」，「edible」，…が右側の３つの周辺分割表示領域Ａ２に一つずつ表示されて一覧表示される（ステップＳ１９）。また、このとき、これら３つの周辺分割表示領域Ａ２において選択語源「-able（能力がある）」と、この選択語源に対応する単語構成部分（接尾辞）とが青色で識別表示される。
【００８８】
以上の電子辞書１によれば、図３のステップＳ１２，Ｓ１８，Ｓ２１，Ｓ２４や、図５、図６等に示したように、指定単語に含まれる各単語構成部分と同じ語源の単語構成部分を含む単語が、語源付き辞書データベース８２１により記憶された単語の中から同語源単語として抽出されるので、このような同語源単語が複数纏められる。また、図３のステップＳ１０，Ｓ１３，Ｓ１６，Ｓ１９，Ｓ２２，Ｓ２５や、図５、図６等に示したように、指定単語及び同語源単語がメインディスプレイ１０に一覧表示されるとともに、指定単語と同語源単語の双方に共通して含まれる単語構成部分が識別表示されるので、指定単語に含まれる単語構成部分それぞれに対応付けて、当該単語構成部分と同じ語源の単語構成部分を含む同語源単語が表示される。従って、指定単語と語源の共通する同語源単語を効率良く学習することができる。
【００８９】
また、図３のステップＳ１１〜Ｓ１３や、図５、図６等に示したように、指定単語に含まれる各単語構成部分についての語源のいずれかがユーザ操作に基づいて選択された場合に、この選択された語源と同じ語源の単語構成部分を含む単語がメインディスプレイ１０に一覧表示されるので、指定単語と語源の共通する同語源単語のうち、所望の語源の単語構成部分を含む同語源単語を効率良く学習することができる。
【００９０】
また、図３のステップＳ１０，Ｓ１３や、図５、図６等に示したように、中央分割表示領域Ａ１に指定単語が表示され、各周辺分割表示領域Ａ２に同語源単語が一つずつ表示されることにより、メインディスプレイ１０に指定単語及び同語源単語が一覧表示されるので、同語源単語が指定単語の周りを囲うように整然と配列される。従って、同語源単語を容易に視認して記憶することができるため、指定単語と語源の共通する同語源単語を一層効率良く学習することができる。
【００９１】
また、図３のステップＳ１６〜Ｓ２５や、図６（ｃ）等に示したように、中央分割表示領域Ａ１よりも左側に位置する各周辺分割表示領域Ａ２に、指定単語の接頭辞と同語源の接頭辞を含む同語源単語が表示され、中央分割表示領域Ａ１よりも右側に位置する各周辺分割表示領域Ａ２に、指定単語の接尾辞と同語源の接尾辞を含む同語源単語が表示され、中央分割表示領域Ａ１よりも上側及び下側に位置する各周辺分割表示領域Ａ２に、指定単語の語幹と同語源の語幹を含む同語源単語が表示されることにより、メインディスプレイ１０に指定単語及び当該同語源単語が一覧表示されるので、指定単語に含まれる接頭辞と同語源の接頭辞を含む同語源単語、指定単語に含まれる接尾辞と同語源の接尾辞を含む同語源単語、及び、指定単語に含まれる語幹と同語源の語幹を含む同語源単語の３種類の同語源単語が各々複数ずつ纏めて一度に表示される。従って、指定単語と語源の共通する同語源単語をより一層効率良く学習することができる。
【００９２】
また、図４のステップＴ７，Ｔ８等に示したように、語源付き辞書データベース８２１により記憶されている単語のうちマーカ単語帳テーブル８４によっても記憶されている単語の中から同語源単語が抽出され、抽出された同語源単語の個数を所定の周辺分割表示領域Ａ２の個数から引いた値が１以上である場合には、語源付き辞書データベース８２１に記憶されている単語のうちマーカ単語帳テーブル８４によっては記憶されていない単語の中から当該値の個数だけ同語源単語が更に抽出されるので、指定単語に含まれる単語構成部分と同じ語源の単語構成部分を含む同語源単語のうち、マーカ単語帳テーブル８４により記憶されている単語が優先的に抽出されて表示されることになる。従って、指定単語と語源の共通する同語源単語のうち、マーカ単語帳テーブル８４により記憶されている単語、すなわち、ユーザが学習対象として設定した単語を優先的に学習することができる。
【００９３】
また、図３のステップＳ１４、Ｓ１５や、図５（ｃ）〜図６（ｂ）等に示したように、周辺分割表示領域Ａ２に表示された同語源単語のうち何れかがユーザにより指定単語として指定されると、新たな指定単語が中央分割表示領域Ａ１に表示され、この指定単語の各単語構成部分と同じ語源の単語構成部分を含む同語源単語が各周辺分割表示領域Ａ２に一覧表示されるので、一覧表示された同語源単語の中から所望の単語をユーザが指定単語として次々に指定することにより、最初に指定された指定単語を起点として同語源単語を次々に連鎖的に一覧表示させることができる。従って、連鎖的に同語源単語を学習することができるため、指定単語と語源の共通する多くの同語源単語を効率良く学習することができる。
【００９４】
なお、本発明を適用可能な実施形態は、上述した実施形態に限定されることなく、本発明の趣旨を逸脱しない範囲で適宜変更可能である。
【００９５】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図７に示すようなタブレットパソコン１Ａに特に好適に適用される。また、本発明に係る単語表示処理プログラム８１は、電子辞書１に対して着脱可能な外部情報記憶媒体１２ａに記憶されることとしてもよい。
【００９６】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段と、
単語と、当該単語を接辞及び語幹に分解して得られる複数の単語構成部分と、これら複数の単語構成部分それぞれの意味を示した語源とを対応付けて複数記憶する単語語源記憶手段と、
前記単語語源記憶手段により記憶された単語のいずれかをユーザ操作に基づいて指定する単語指定手段と、
前記単語指定手段により指定された指定単語に含まれる各単語構成部分と同じ語源の単語構成部分を含む単語を、前記単語語源記憶手段により記憶された単語の中から同語源単語として抽出する同語源単語抽出手段と、
前記指定単語及び前記同語源単語を前記表示手段に一覧表示させるとともに、当該指定単語と当該同語源単語の双方に共通して含まれる単語構成部分を識別表示させる同語源単語識別表示制御手段と、
を備えることを特徴とする情報表示装置。
＜請求項２＞
請求項１記載の情報表示装置において、
前記単語指定手段により前記指定単語が指定された場合に、前記単語語源記憶手段から前記指定単語の各単語構成部分の語源を読み出して、当該指定単語と当該語源とを対応付けて前記表示手段に表示させる指定単語表示制御手段と、
ユーザ操作に基づいて、前記指定単語表示制御手段により表示制御された語源のいずれかを選択する語源選択手段と、
を備え、
前記同語源単語抽出手段は、
前記語源選択手段により語源が選択された場合に、この選択された語源と同じ語源の単語構成部分を含む単語を前記同語源単語として抽出することを特徴とする情報表示装置。
＜請求項３＞
請求項１又は２記載の情報表示装置において、
前記表示手段の表示領域を格子状に縦横に分割することにより、矩形状の分割表示領域を当該表示領域内に複数形成する分割表示制御手段を備え、
前記同語源単語識別表示制御手段は、
前記複数の分割表示領域のうち前記表示領域の中央部に表示された中央分割表示領域に前記指定単語を表示させ、前記複数の分割表示領域のうち当該中央分割表示領域とは異なる各周辺分割表示領域に前記同語源単語を一つずつ表示させることにより、前記表示手段に当該指定単語及び当該同語源単語を一覧表示させることを特徴とする情報表示装置。
＜請求項４＞
請求項１記載の情報表示装置において、
前記表示手段の表示領域を格子状に縦横に分割することにより、矩形状の分割表示領域を当該表示領域内に複数形成する分割表示制御手段を備え、
前記同語源単語識別表示制御手段は、
前記複数の分割表示領域のうち前記表示領域の中央部に表示された中央分割表示領域に前記指定単語を表示させ、
前記複数の分割表示領域のうち前記表示領域に向かって前記中央分割表示領域よりも左側に位置する各周辺分割表示領域に、前記指定単語の接頭辞と同語源の接頭辞を含む同語源単語を表示させ、
前記複数の分割表示領域のうち当該表示領域に向かって前記中央分割表示領域よりも右側に位置する各周辺分割表示領域に、前記指定単語の接尾辞と同語源の接尾辞を含む同語源単語を表示させ、かつ、
前記複数の分割表示領域のうち当該表示領域に向かって前記中央分割表示領域よりも上側及び下側に位置する各周辺分割表示領域に、前記指定単語の語幹と同語源の語幹を含む同語源単語を表示させることにより、
前記表示手段に当該指定単語及び当該同語源単語を一覧表示させることを特徴とする情報表示装置。
＜請求項５＞
請求項３に記載の情報表示装置において、
ユーザ操作により指定される単語を蓄積記憶する単語帳記憶手段と、
ユーザ操作に基づいて、前記単語帳記憶手段により記憶された単語を前記表示手段に一覧表示させる単語帳一覧表示制御手段と、
を備え、
前記単語指定手段は、
ユーザ操作に基づいて、前記単語帳一覧表示制御手段により一覧表示された単語のいずれかを指定し、
前記同語源単語抽出手段は、
前記単語語源記憶手段により記憶されている単語のうち前記単語帳記憶手段によっても記憶されている単語の中から前記同語源単語を抽出し、抽出された同語源単語の個数を前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出することを特徴とする情報表示装置。
＜請求項６＞
請求項４に記載の情報表示装置において、
ユーザ操作により指定される単語を蓄積記憶する単語帳記憶手段と、
ユーザ操作に基づいて、前記単語帳記憶手段により記憶された単語を前記表示手段に一覧表示させる単語帳一覧表示制御手段と、
を備え、
前記単語指定手段は、
ユーザ操作に基づいて、前記単語帳一覧表示制御手段により一覧表示された単語のいずれかを指定し、
前記同語源単語抽出手段は、
前記指定単語の接頭辞と同語源の接頭辞を含む同語源単語を抽出する接頭辞同語源単語抽出手段と、
前記指定単語の接尾辞と同語源の接尾辞を含む同語源単語を抽出する接尾辞同語源単語抽出手段と、
前記指定単語の語幹と同語源の語幹を含む同語源単語を抽出する語幹同語源単語抽出手段と、
を有し、
前記接頭辞同語源単語抽出手段は、
前記単語語源記憶手段により記憶されている単語のうち前記単語帳記憶手段によっても記憶されている単語の中から前記同語源単語を抽出し、抽出された同語源単語の個数を、前記表示領域に向かって前記中央分割表示領域よりも左側に位置する前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出し、
前記接尾辞同語源単語抽出手段は、
前記単語語源記憶手段により記憶されている単語のうち前記単語帳記憶手段によっても記憶されている単語の中から前記同語源単語を抽出し、抽出された同語源単語の個数を、前記表示領域に向かって前記中央分割表示領域よりも右側に位置する前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出し、
前記語幹同語源単語抽出手段は、
前記単語語源記憶手段により記憶されている単語のうち前記単語帳記憶手段によっても記憶されている単語の中から前記同語源単語を抽出し、抽出された同語源単語の個数を、前記表示領域に向かって前記中央分割表示領域よりも上側及び下側に位置する前記周辺分割表示領域の個数から引いた値が１以上である場合には、前記単語語源記憶手段により記憶されている単語のうち前記単語帳記憶手段によっては記憶されていない単語の中から当該値の個数だけ前記同語源単語を更に抽出することを特徴とする情報表示装置。
＜請求項７＞
表示手段と、
単語と、当該単語を接辞及び語幹に分解して得られる複数の単語構成部分と、これら複数の単語構成部分それぞれの意味を示した語源とを対応付けて複数記憶する単語語源記憶手段と、
を有するコンピュータに、
前記単語語源記憶手段により記憶された単語のいずれかをユーザ操作に基づいて指定する単語指定機能と、
前記単語指定機能により指定された指定単語に含まれる各単語構成部分と同じ語源の単語構成部分を含む単語を、前記単語語源記憶手段により記憶された単語の中から同語源単語として抽出する同語源単語抽出機能と、
前記指定単語及び前記同語源単語を前記表示手段に一覧表示させるとともに、当該指定単語と当該同語源単語の双方に共通して含まれる単語構成部分を識別表示させる同語源単語識別表示制御機能と、
を実現させることを特徴とするプログラム。
【符号の説明】
【００９７】
１          電子辞書
２０        ＣＰＵ
８１        単語表示処理プログラム
８２１      語源付き辞書データベース
【図１】
0005834836.tif 000002
【図２】
0005834836.tif 000003
【図３】
0005834836.tif 000004
【図４】
0005834836.tif 000005
【図５】
0005834836.tif 000006
【図６】
0005834836.tif 000007
【図７】
0005834836.tif 000008